(57)【要約】【課題】被撮影者が撮影されてもよい状態（撮影可能状態）となった場合に、セルフタイマーを動作させることができるシステムを提供する。【解決手段】情報処理装置２００の近距離無線装置２３０および情報処理装置２１０との距離を用いることで、撮影可否情報を判断し、撮影者、撮影装置から離れ、被撮影者に近付くという動作により、各装置間の相対距離を算出し撮影可否情報に基づいて撮影装置のセルフタイマーの状態を遷移させる。【選択図】図１
2018107774.tif 000002
【特許請求の範囲】
【請求項１】
近距離無線で相互に通信可能な第一の情報処理装置、第二の情報処理装置、撮影装置および前記撮影装置に内蔵または取り付け可能な近距離無線装置から構成される撮影システムにおいて、
前記第一の情報処理装置は、
前記第二の情報処理装置から第一の識別情報を受信する第一の識別情報受信手段と、
前記近距離無線装置から第二の識別情報を受信する第二の識別情報受信手段と、
前記近距離無線装置が所定の距離以上離れた場合に第一の撮影可否情報を作成し、前記第二の情報処理装置が所定距離内に存在する場合に第二の撮影可否情報を作成する第一の撮影可否判定手段と、
前記第一の撮影可否判定手段が作成した前記第一の撮影可否情報および／または前記第二の撮影可否情報を前記撮影装置に送信する第一の撮影可否情報送信手段と、を備え、
前記第二の情報処理装置は、
前記第一の情報処理装置に前記第一の識別情報を送信する第一の識別情報送信手段を備え、
前記近距離無線装置は、
前記第一の情報処理装置に前記第二の識別情報を送信する第二の識別情報送信手段を備え、
前記撮影装置は、
前記第一の情報処理装置から前記第一の撮影可否情報または前記第二の撮影可否情報を受信する撮影可否情報受信手段と、
前記撮影可否情報受信手段が前記第一の撮影可否情報を受信したとき、撮影モードを切り替え動作可能状態に遷移し、当該動作可能状態に遷移後、前記撮影可否情報受信手段が前記第二の撮影可否情報を受信すると前記撮影モードの切り替えを行い撮影制御する撮影制御手段と、
を備えることを特徴とする撮影システム。
【請求項２】
前記第一の撮影可否判定手段は、複数の情報処理装置から受信した情報から相対距離を算出し、当該相対距離に基づいて前記第一の撮影可否情報を作成することを特徴とする請求項１に記載の撮影システム。
【請求項３】
前記第一の情報処理装置は、
前記第二の情報処理装置に第三の識別情報を送信する第三の識別情報送信手段をさらに備え、
前記第二の情報処理装置は、
前記第一の情報処理装置から前記第三の識別情報を受信する第三の識別情報受信手段と、
前記近距離無線装置から前記第二の識別情報を受信する第四の識別情報受信手段と、
前記近距離無線装置が所定の距離以上離れた場合に第三の撮影可否情報を作成し、前記第一の情報処理装置が所定距離内に存在する場合に第四の撮影可否情報を作成する第二の撮影可否判定手段と、
前記第二の撮影可否判定手段が作成した前記第三の撮影可否情報および／または前記第四の撮影可否情報を前記撮影装置に送信する第二の撮影可否情報送信手段と、をさらに備え、
前記撮影装置は、
前記撮影可否情報受信手段において、
前記第二の情報処理装置から前記第三の撮影可否情報または前記第四の撮影可否情報をさらに受信し、
前記撮影制御手段において、
前記撮影可否情報受信手段が前記第一の撮影可否情報または前記第三の撮影可否情報を受信したとき、撮影モードの切り替え動作可能状態に遷移し、当該動作可能状態に遷移後、
前記撮影可否情報受信手段が前記第二の撮影可否情報または前記第四の撮影可否情報を受信すると前記撮影モードの切り替えを行い撮影制御する撮影制御手段と、
を備えることを特徴とする請求項１または請求項２に記載の撮影システム。
【請求項４】
前記第二の情報処理装置が複数あることを特徴とする請求項１乃至請求項３の何れか１項に記載の撮影システム。
【請求項５】
前記第二の情報処理装置は、自律分散協調手段をさらに備え、
前記第二の識別情報送信手段の第一の識別情報送信手段は、前記第一の情報処理装置および自身と異なる第二の情報処理装置に、代表端末であるか否かの情報および代表端末判断情報を付与した前記第二の識別情報を送信し、
前記自律分散協調手段は、
前記第三の識別情報受信手段が受信した自身と異なる前記第二の情報処理装置の識別情報から自身と異なる前記第二の情報処理装置との距離が所定の距離内となった場合に自身を代表端末候補とし、前記代表端末判断情報を解析し、自身が代表端末候補を降りるか否かを判定する
ことを特徴とする請求項３または請求項４に記載の撮影システム。
【請求項６】
前記撮影モードの制御とは、セルフタイマーのシャッター制御であることを特徴とする請求項１乃至請求項５の何れか１項に記載の撮影システム。
【請求項７】
近距離無線で相互に通信可能な第一の情報処理装置、第二の情報処理装置および撮影装置から構成される撮影システムにおいて、
前記第一の情報処理装置は、
前記第二の情報処理装置から識別情報を受信する識別情報受信手段と、
前記第二の情報処理装置との距離情報を前記撮影装置に送信する判断情報送信手段を備え、
前記第二の情報処理装置は、
前記第一の情報処理装置に前記識別情報を送信する識別情報送信手段を備え、
前記撮影装置は、
前記第一の情報処理装置から前記距離情報を受信する判断情報受信手段と、
前記判断情報受信手段が受け取った前記距離情報から、前記第一の情報処理装置が所定の距離以上離れた場合に撮影モードを切り替え動作可能状態に遷移し、当該動作可能状態に遷移後、前記判断情報受信手段が受け取った情報から、前記第一の情報処理装置と第二の情報処理が所定の距離内に存在する場合に撮影モードの切り替えを行い撮影制御する撮影制御手段と、
を備えることを特徴とする撮影システム。
【請求項８】
前記第一の情報処理装置は、
前記第二の情報処理装置との距離に基づき撮影可否情報を作成する撮影可否情報判定手段をさらに備え、
前記判断情報送信手段は前記撮影可否情報を前記撮影装置にさらに送信し、
前記撮影装置の前記撮影制御手段は、
前記第一の情報処理装置が所定の距離以上離れた場合に撮影モードの切り替え動作可能状態に遷移し、当該動作可能状態に遷移後、前記判断情報受信手段が前記撮影可否情報を受信し、撮影モードの切り替えを行い撮影制御すること、
を特徴とする請求項７に記載の撮影システム。
【請求項９】
前記撮影モードの制御とは、セルフタイマーのシャッター制御であることを特徴とする請求項７または請求項８に記載の撮影システム。
【発明の詳細な説明】
【技術分野】
【０００１】
本発明は近距離無線装置を使用した撮影システムに関する。
【背景技術】
【０００２】
従来、デジタルカメラ等の撮影装置には、シャッターを押下してから一定時間経過後に撮影動作を行わせるセルフタイマー機能がある。セルフタイマー機能は、被撮影者の状況に関係なく、指定された一定時間後に撮影動作を行う。
【０００３】
これによって、指定された一定時間内に撮影者が撮影位置に到達できない場合、撮影者の意図に沿わない撮影が行われてしまう。
【０００４】
これに関して、撮影装置が被撮影者の顔認識を行い、顔認識の結果に応じてセルフタイマー機能を開始および停止する技術がある（特許文献１参照）。また、顔認識に加え、カメラのフォーカス情報を利用して被撮影者との距離を算出し、被撮影者全員が所定内の距離にいる場合にセルフタイマーを開始する技術がある（特許文献２参照）。
【先行技術文献】
【特許文献】
【０００５】
【特許文献１】特開２０１２−１９８５６４号公報
【特許文献２】特開２０１０−１９３４２３号公報
【発明の概要】
【発明が解決しようとする課題】
【０００６】
上述した特許文献１、特許文献２の技術では、被撮影者が顔を常に撮影装置に向けていなければならないという課題があった。
【０００７】
そこで、本発明は、被撮影者が顔を常に撮影装置に向けることなく、撮影者と被撮影者間の距離が所定の距離内となり、被撮影者が撮影されてもよい状態（撮影可能状態）となった場合にセルフタイマーを動作させる撮影システムを提供することを目的とする。
【課題を解決するための手段】
【０００８】
上記の課題を解決するために、請求項１に記載の撮影システムは、近距離無線で相互に通信可能な第一の情報処理装置、第二の情報処理装置、撮影装置および前記撮影装置に内蔵または取り付け可能な近距離無線装置から構成される撮影システムにおいて、前記第一の情報処理装置は、前記第二の情報処理装置から第一の識別情報を受信する第一の識別情報受信手段と、前記近距離無線装置から第二の識別情報を受信する第二の識別情報受信手段と、前記近距離無線装置が所定の距離以上離れた場合に第一の撮影可否情報を作成し、前記第二の情報処理装置が所定距離内に存在する場合に第二の撮影可否情報を作成する第一の撮影可否判定手段と、前記第一の撮影可否判定手段が作成した前記第一の撮影可否情報および／または前記第二の撮影可否情報を前記撮影装置に送信する第一の撮影可否情報送信手段と、を備え、前記第二の情報処理装置は、前記第一の情報処理装置に前記第一の識別情報を送信する第一の識別情報送信手段を備え、前記近距離無線装置は、前記第一の情報処理装置に前記第二の識別情報を送信する第二の識別情報送信手段を備え、前記撮影装置は、前記第一の情報処理装置から前記第一の撮影可否情報または前記第二の撮影可否情報を受信する撮影可否情報受信手段と、前記撮影可否情報受信手段が前記第一の撮影可否情報を受信したとき、撮影モードを切り替え動作可能状態に遷移し、当該動作可能状態に遷移後、前記撮影可否情報受信手段が前記第二の撮影可否情報を受信すると前記撮影モードの切り替えを行い撮影制御する撮影制御手段と、を特徴とする。
【０００９】
上記の課題を解決するために、請求項７に記載の撮影システムは、近距離無線で相互に通信可能な第一の情報処理装置、第二の情報処理装置および撮影装置から構成される撮影システムにおいて、前記第一の情報処理装置は、前記第二の情報処理装置から識別情報を受信する識別情報受信手段と、前記第二の情報処理装置との距離情報を前記撮影装置に送信する判断情報送信手段を備え、前記第二の情報処理装置は、前記第一の情報処理装置に前記識別情報を送信する識別情報送信手段を備え、前記撮影装置は、前記第一の情報処理装置から前記距離情報を受信する判断情報受信手段と、前記判断情報受信手段が受け取った前記距離情報から、前記第一の情報処理装置が所定の距離以上離れた場合に撮影モードを切り替え動作可能状態に遷移し、当該動作可能状態に遷移後、前記判断情報受信手段が受け取った情報から、前記第一の情報処理装置と第二の情報処理が所定の距離内に存在する場合に撮影モードの切り替えを行い撮影制御する撮影制御手段と、を特徴とする。
【発明の効果】
【００１０】
本発明によれば、撮影者は、撮影装置から離れ、被撮影者に近付くことで撮影装置のセルフタイマーの状態を遷移させることができる。撮影装置は、撮影者の移動に基づき撮影可能状態となったことを検知し、セルフタイマー機能を制御することが可能となる。
【図面の簡単な説明】
【００１１】
【図１】本発明における撮影システムの構成を概略に示す図および状態遷移図である。
【図２】第１の実施形態に係る撮影システムの一例の構成を概略的に示すブロック図である。
【図３】第１の実施形態における撮影装置２２０の制御に係るフローチャートである。
【図４】第１の実施形態における近距離無線装置２３０、情報処理装置２００、情報処理装置２１０の制御に係るフローチャートである。
【図５】第２の実施形態に係る撮影システムの一例の構成を概略的に示すブロック図である。
【図６】第２の実施形態における近距離無線装置２３０、情報処理装置３００、情報処理装置３１０の制御に係るフローチャートである。
【図７】第３の実施形態における撮影装置２２０の制御に係るフローチャートである。
【図８】第３の実施形態における近距離無線装置２３０、情報処理装置３００、情報処理装置３１０の制御に係るフローチャートである。
【図９】第４の実施形態に係る撮影システムの一例の構成を概略的に示すブロック図である。
【図１０】第４の実施形態における撮影装置４２０の制御に係るフローチャートである。
【図１１】第４の実施形態における情報処理装置４００、情報処理装置４１０の制御に係るフローチャートである。
【図１２】第５の実施形態に係る撮影システムの一例の構成を概略的に示すブロック図である。
【図１３】第５の実施形態における撮影装置４２０の制御に係るフローチャートである。
【図１４】第５の実施形態における情報処理装置５００、情報処理装置４１０の制御に係るフローチャートである。
【発明を実施するための形態】
【００１２】
以下、本発明の実施形態による撮影システムの一例について図面を参照して詳細に説明する。
【００１３】
[第１の実施形態]
まず、第１の実施形態について説明する。
【００１４】
図１（ａ）は、本発明における撮影システムの構成を概略的に示した図である。後述する近距離無線装置を所持した撮影者１００、撮影装置１０１、被撮影者１０２で構成される。
【００１５】
図１（ｂ）は、本発明における撮影装置１０１の状態遷移図である。撮影装置１０１の状態は、通常撮影状態１１０、セルフタイマー動作可能状態１１１、セルフタイマー動作中状態１１２の３つの状態が存在する。
【００１６】
通常撮影状態１１０とは、撮影者１００が任意の場所において、撮影装置１０１を持ち、シャッターボタンを押下して撮影することができる状態である。なお、撮影装置１０１の初期状態は、通常撮影状態１１０である。
【００１７】
セルフタイマー動作可能状態１１１とは、撮影装置１０１が、セルフタイマーを動作させる準備が整った状態である。
【００１８】
セルフタイマー動作中状態１１２とは、撮影装置１０１で、セルフタイマーが動作している状態である。
【００１９】
通常撮影状態１１０、セルフタイマー動作可能状態１１１、セルフタイマー動作中状態１１２の３つの状態遷移について以下に説明する。
【００２０】
撮影者１００が撮影装置１０１から所定の距離以上離れると、撮影装置１０１は、通常撮影状態１１０からセルフタイマー動作可能状態１１１に遷移する。その後、撮影者１００が被撮影者１０２に近付くと、セルフタイマー動作中状態１１２に遷移する。撮影装置１０１はセルフタイマーによるカウントダウンを開始し、一定時間経過後、撮影を行う。その後、通常撮影状態１１０に遷移する。
【００２１】
また、撮影装置１０１が、セルフタイマー動作可能状態１１１であれば、撮影者１００と撮影装置１０１が所定の距離以内に近付いた場合、通常撮影状態１１０に遷移する。
【００２２】
あるいは、撮影装置１０１が、セルフタイマー動作中状態１１２であれば、被撮影者１０２と撮影者１００が所定の距離以上に離れた場合、セルフタイマー動作可能状態１１１に遷移する。
【００２３】
図２は、本発明の第１の実施形態に係る撮影システムの一例の構成を概略的に示すブロック図である。図示の撮影システムは、情報処理装置２００、情報処理装置２１０、撮影装置２２０、近距離無線装置２３０から構成されている。
【００２４】
なお、撮影装置２２０は、図１（ａ）の撮影装置１０１と同じ装置である。情報処理装置２００は、図１の撮影者１００が保持する装置であり、情報処理装置２１０は被撮影者１０２が保持している。近距離無線装置２３０は、撮影装置２２０に内蔵または付属している。
【００２５】
撮影装置２２０に付けられた近距離無線装置２３０と、被撮影者１０２が保持する情報処理装置２１０のそれぞれから送信される識別情報を撮影者が携帯する情報処理装置２００が受信する。情報処理装置２００は、情報処理装置２１０および近距離無線装置２３０から受信した識別情報に基づき、撮影装置２２０に対して撮影可否情報を送信することでカメラの撮影を制御する。
【００２６】
＜情報処理装置２００の構成＞
図２（ａ）を参照して情報処理装置２００の構成を説明する。図２には示されていないが、情報処理装置２００は、ハードウェア構成として、ＣＰＵ、入力部、表示部、メモリおよび記憶部等を備え、これらハードウェアは内部バスで相互に接続されている。
【００２７】
ＣＰＵは、情報処理装置２００の全体の制御を司る。入力部は、例えば、タッチパネルやキーボードなどである。表示部として、例えば、液晶モニタが用いられる。メモリはＲＡＭおよびＲＯＭ等である。
【００２８】
情報処理装置２００は、識別情報受信部Ａ２０１、識別情報受信部Ｂ２０２、撮影可否判定部２０３、撮影可否情報送信部２０４を備えている。また、情報処理装置２００は、例えば、携帯端末またはモバイル端末機器であるが、これに限定されるものではない。
【００２９】
識別情報受信部Ａ２０１は、近距離無線装置２３０から識別情報Ａを受信する。ここで、識別情報Ａとは、例えば、近距離無線装置２３０のＵＵＩＤ（Ｕｎｉｖｅｒｓａｌｌｙ  Ｕｎｉｑｕｅ  ＩＤｅｎｔｉｆｉｅｒ）等である。
【００３０】
識別情報受信部Ｂ２０２は、情報処理装置２１０から識別情報Ｂを受信する。ここで、識別情報Ｂとは、例えば、情報処理装置２１０のＵＵＩＤ等である。
【００３１】
撮影可否判定部２０３は、識別情報受信部Ａ２０１で取得した識別情報Ａ、あるいは識別情報受信部Ｂ２０２で取得した識別情報Ｂの電波強度から、近距離無線装置２３０と情報処理装置２１０それぞれにおける情報処理装置２００との距離を算出し、撮影してよいかどうか（撮影可否）を判定する。なお、距離の算出に電波強度を使用しているが、これに限定したものではない。
【００３２】
電波強度を使用せずに距離情報を算出する方法は、例えば、ＧＰＳによる距離測定方法がある。ＧＰＳを使用し、撮影装置２２０と情報処理装置２００、情報処理装置２１０の座標を取得し、各装置間の距離を算出することによっても実現可能である。
【００３３】
撮影可否情報送信部２０４は、撮影可否判定部２０３が判定した撮影可否情報を撮影装置２２０に送信する。ここで、撮影可否情報とは、撮影装置２２０（撮影装置１０１）において、撮影者１００は撮影装置２２０から所定の距離以上離れたことにより通常撮影状態１１０からセルフタイマー動作可能状態１１１に遷移するための撮影可否情報Ａと、撮影者１００と被撮影者１０２との距離が所定の距離以内となったことによりセルフタイマー動作可能状態１１１からセルフタイマー動作中状態１１２に遷移するための撮影可否情報Ｂである。なお、撮影可否情報を送信する場合、無線送信または有線送信のどちらであってもよい。
【００３４】
＜情報処理装置２１０の構成＞
図２（ｂ）を参照して情報処理装置２１０の構成を説明する。情報処理装置２１０は、識別情報送信部Ｂ２１１を備える。情報処理装置２１０は、少なくとも１つ以上であれば、複数の端末であってもよく、図示の例示に限定されるものではない。
【００３５】
識別情報送信部Ｂ２１１は、情報処理装置２１０の識別情報Ｂを送信する。ここで、識別情報Ｂとは、例えば、情報処理装置２１０のＵＵＩＤ等である。
【００３６】
＜撮影装置２２０の構成＞
図２（ｃ）を参照して撮影装置２２０の構成を説明する。撮影装置２２０は、ハードウェア構成として、ＣＰＵ、メモリ、通信部、および記憶部（ともに不図示）等を備える。
【００３７】
ＣＰＵは撮影装置２２０の全体の制御を司る。メモリはＲＡＭおよびＲＯＭ等である。
【００３８】
記憶部には、ソフトウェアであるＯＳ（不図示）、撮影制御部２２２が記憶されるとともに、他の機能に係るソフトウェアが記憶されている。なお、これらのソフトウェアはメモリに読みだされて、ＣＰＵの制御に従い動作する。
【００３９】
撮影可否情報受信部２２１は、情報処理装置２００から送信された撮影可否情報Ａと撮影可否情報Ｂを受信する。なお、撮影可否情報を受信する場合、無線送信または有線送信のどちらであってもよい。
【００４０】
撮影制御部２２２は、受信した撮影可否情報Ａと撮影可否情報Ｂに基づき、セルフタイマーを制御する。
【００４１】
＜近距離無線装置２３０の構成＞
図２（ｄ）を参照して近距離無線装置２３０の構成を説明する。近距離無線装置２３０は、識別情報送信部Ａ２３１を備える。近距離無線装置２３０は、撮影装置２２０に内蔵、あるいはストラップ等の付属品に付加されている。
【００４２】
識別情報送信部Ａ２３１は、近距離無線装置２３０の識別情報Ａを送信する。ここで、識別情報Ａとは、例えば、近距離無線装置２３０のＵＵＩＤ等である。
【００４３】
＜撮影装置２２０の制御フロー＞
以下、本実施形態における本発明に係る撮影装置２２０の動作について説明する。図３は、撮影装置２２０のフローチャートである。
【００４４】
撮影装置２２０は電源投入後、撮影可否情報受信部２２１が、撮影可否情報Ａの受信を監視する（ステップＳ１０１）。ここで、撮影可否情報Ａとは、撮影装置２２０が、図１（ｂ）の状態遷移図で説明した、通常撮影状態１１０からセルフタイマー動作可能状態１１１に遷移するための情報である。
【００４５】
撮影可否情報受信部２２１が、情報処理装置２００から撮影可否情報Ａを受信したか判断する（ステップＳ１０２）。ステップＳ１０２でＹｅｓの場合、ステップＳ１０３に進む。ステップＳ１０２でＮｏの場合、ステップＳ１０１に戻り、撮影可否情報Ａを受信するまでループする。
【００４６】
撮影可否情報受信部２２１が、情報処理装置２００からの撮影可否情報Ａと撮影可否情報Ｂの受信を監視する（ステップＳ１０３）。ここで、撮影可否情報Ｂとは、撮影装置２２０が、図１（ｂ）の状態遷移図で説明したセルフタイマー動作可能状態１１１からセルフタイマー動作中状態１１２に遷移するための情報である。
【００４７】
撮影可否情報受信部２２１が、撮影可否情報Ａを受信しているか判断する（ステップＳ１０４）。ステップＳ１０４でＮｏの場合、ステップＳ１０１に戻る。これは、図１（ｂ）の状態遷移図で説明したセルフタイマー動作可能状態１１１から通常撮影状態１１０に遷移する場合であり、撮影装置１０１から離れた撮影者１００が、撮影装置１０１に戻ってくるような場合に該当する。
【００４８】
ステップＳ１０４でＹｅｓの場合、撮影可否情報受信部２２１が、撮影可否情報Ｂを受信したか判断する（ステップＳ１０５）。ステップＳ１０５でＹｅｓの場合、ステップＳ１０６に進む。ステップＳ１０５でＮｏの場合、ステップＳ１０３に戻り、撮影可否情報Ｂを受信するまでループする。
【００４９】
ステップＳ１０６〜ステップＳ１０９は、撮影装置２２０が情報処理装置２００から撮影可否情報Ａと撮影可否情報Ｂの受信を監視しながら、撮影制御部２２２がセルフタイマーカウンタのデクリメント処理を行う。
【００５０】
まず、撮影制御部２２２が、セルフタイマーカウンタが残っているか判断する（ステップＳ１０６）。ステップＳ１０６でＹｅｓの場合、セルフタイマーのカウントダウン中であり、ステップＳ１０７に進む。
【００５１】
撮影可否情報受信部２２１が、情報処理装置２００から撮影可否情報Ｂを受信しているか監視する（ステップＳ１０７）。
【００５２】
撮影可否情報受信部２２１が、撮影可否情報Ｂを受信しているか判断する（ステップＳ１０８）。ステップＳ１０８でＹｅｓの場合、ステップＳ１０９に進む。ステップＳ１０８でＮｏの場合、ステップＳ１０３に戻る。これは、図１（ｂ）の状態遷移図で説明した、セルフタイマー動作中状態１１２からセルフタイマー動作可能状態１１１に遷移する場合であり、被撮影者１０２に近付いた撮影者１００が、被撮影者１０２から離れた場合に該当する。
【００５３】
撮影制御部２２２がセルフタイマーカウンタをデクリメントし（ステップＳ１０９）、ステップＳ１０６でカウンタが０となると、撮影を行う（ステップＳ１１０）。
【００５４】
以上の動作により、撮影装置２２０は、情報処理装置２１０および近距離無線装置２３０を使用し、情報処理装置２００から送信される撮影可否情報Ａおよび撮影可否情報Ｂによって、撮影者１００が何ら操作を加えることなく、撮影装置２２０のセルフタイマーの状態を遷移させ、シャッターを制御することができる。
【００５５】
＜第１の実施形態における撮影可否情報送信制御＞
図４は、近距離無線装置２３０、情報処理装置２００、情報処理装置２１０の撮影装置２２０に対する撮影可否情報送信制御に係るフローチャートである。
【００５６】
近距離無線装置２３０は、情報処理装置２００へ識別情報Ａを送信する識別情報送信処理を繰り返す（ステップＳ２０１）。ここで、識別情報Ａとは、例えば、近距離無線装置２３０のＵＵＩＤ等である。
【００５７】
情報処理装置２１０も近距離無線装置２３０と同様に、情報処理装置２００へ識別情報Ｂを送信する識別情報送信処理を繰り返す（ステップＳ２１０）。ここで、識別情報Ｂとは、例えば、情報処理装置２１０のＵＵＩＤ等である。
【００５８】
情報処理装置２００の識別情報受信部Ａ２０１は、近距離無線装置２３０から送信される識別情報Ａの受信を監視する（ステップＳ２０２）。
【００５９】
情報処理装置２００の識別情報受信部Ｂ２０２は、ステップＳ２０２と合わせて、情報処理装置２１０から送信される識別情報Ｂの受信を監視する（ステップＳ２０３）。
【００６０】
情報処理装置２００は、識別情報Ａまたは識別情報Ｂを受信したか判断する（ステップＳ２０４）。ステップＳ２０２またはステップＳ２０３で各識別情報を受信した場合はステップＳ２０４でＹｅｓとなり、ステップＳ２０５に進む。識別情報Ａまたは識別情報Ｂを受信していない場合は、ステップＳ２０４でＮｏとなり、ステップＳ２０２へ戻り、識別情報を受信するまでループし監視を行う。
【００６１】
ステップＳ２０２の識別情報Ａ、またはステップＳ２０３の識別情報Ｂを受信した後、各識別情報の電波強度から、撮影可否判定部２０３は、情報処理装置２００と各識別情報の送信元との距離を算出する。識別情報から算出可能な距離情報は一例として３種類存在し、Ｉｍｍｉｄｉａｔｅ、Ｎｅａｒ、Ｆａｒであるとして、以降説明する。
【００６２】
Ｉｍｍｉｄｉａｔｅは、識別情報の送信元と受信先が、約１ｍ以内の距離にあることを示す。Ｎｅａｒは、識別情報の送信元と受信先が、約１ｍから約５ｍの範囲内にあることを示す。Ｆａｒは、識別情報の送信元と受信先が、約５ｍ以上の距離にあることを示す。なお、これらに限定したものではなく、距離の定義が異なってもよい。
【００６３】
情報処理装置２００の撮影可否判定部２０３は、近距離無線装置２３０との距離がＩｍｍｉｄｉａｔｅか否かを判定する（ステップＳ２０５）。ステップＳ２０５でＹｅｓの場合、ステップＳ２０２に戻る。ステップＳ２０５でＮｏの場合、ステップＳ２０６に進む。
【００６４】
情報処理装置２００の撮影可否判定部２０３は、情報処理装置２１０との距離がＮｅａｒ以内か否かを判定する（ステップＳ２０６）。ステップＳ２０６でＮｏの場合、撮影装置２２０に撮影可否情報Ａを送信する（ステップＳ２０７）。
【００６５】
ステップＳ２０６がＹｅｓの場合は、撮影装置２２０に撮影可否情報Ａの送信（ステップＳ２０８）と撮影可否情報Ｂの送信（ステップＳ２０９）を行う。
【００６６】
以上の処理を行うことにより、本発明の第１の実施形態では、撮影者１００に保持された情報処理装置２００が近距離無線装置２３０との距離および被撮影者１０２に保持された情報処理装置２１０との距離を用いることで、撮影可否情報を判断することができる。これにより、撮影者１００は、撮影装置２２０から離れ、被撮影者１０２に近付くという動作により、撮影装置２２０のセルフタイマーの状態を遷移させることが可能となる。
【００６７】
[第２の実施形態]
次に、第２の実施形態について説明する。第１の実施形態では、撮影装置２２０に撮影可否情報を送信する情報処理装置が予め決定していた。第２の実施形態では、撮影可否情報を撮影装置２２０に送信する情報処理装置を予め決定せず、動的に決定する場合について例示する。
【００６８】
第２の実施形態においても、撮影システムの構成は図１（ａ）と同じであり、撮影装置１０１は図１（ｂ）に示す状態遷移となる。
【００６９】
図５は、本発明の第２の実施形態に係る撮影システムの一例の構成を概略的に示すブロック図である。図示の撮影システムは、情報処理装置３００、情報処理装置３１０、撮影装置２２０、近距離無線装置２３０から構成されている。図５は、図２の装置構成を一部変更したものであり、撮影装置２２０と近距離無線装置２３０は、図２に示す装置と同じである。同じ構成要素については同一の参照番号を付して説明を省略する。なお情報処理装置３００は、第１の実施形態で説明した情報処理装置２００と同様に撮影者１００が保持し、情報処理装置３１０は被撮影者１０２が保持している。
【００７０】
＜情報処理装置３００の構成＞
図５（ａ）を参照して情報処理装置３００の構成を説明する。情報処理装置３００は、図２に示す情報処理装置２００の構成に加え、識別情報送信部Ｃ２０５を備えている。
【００７１】
識別情報送信部Ｃ２０５は、情報処理装置３００の識別情報Ｃを送信する。ここで、識別情報Ｃとは、例えば、情報処理装置３００のＵＵＩＤ等である。
【００７２】
＜情報処理装置３１０の構成＞
図５（ｂ）を参照して情報処理装置３１０の構成を説明する。情報処理装置３１０は、図２に示す情報処理装置２１０の構成に加え、識別情報受信部Ａ´２１２、識別情報受信部Ｃ２１３、撮影可否判定部Ｂ２１４、撮影可否情報送信部Ｂ２１５を備えている。
【００７３】
識別情報受信部Ａ´２１２は、近距離無線装置２３０から識別情報Ａを受信する。ここで、識別情報Ａとは、例えば、近距離無線装置２３０のＵＵＩＤ等である。
【００７４】
識別情報受信部Ｃ２１３は、情報処理装置３００から識別情報Ｃを受信する。
【００７５】
撮影可否判定部Ｂ２１４は、識別情報受信部Ａ´２１２で取得した識別情報Ａ、あるいは識別情報受信部Ｃ２１３で取得した識別情報Ｃの電波強度から、近距離無線装置２３０と情報処理装置３００の、情報処理装置３１０に対する距離を算出し、撮影してよいかどうか（撮影可否）を判定する。なお、距離の算出に電波強度を使用しているが、電波強度に限定しなくてもよい。
【００７６】
撮影可否情報送信部Ｂ２１５は、撮影可否判定部Ｂ２１４が判定した撮影可否情報を撮影装置２２０に送信する。ここで、撮影可否情報とは、撮影装置１０１において、通常撮影状態１１０からセルフタイマー動作可能状態１１１に遷移するための撮影可否情報Ａと、セルフタイマー動作可能状態１１１からセルフタイマー動作中状態１１２に遷移するための撮影可否情報Ｂである。
【００７７】
＜撮影装置２２０の制御フロー＞
撮影装置２２０の制御フローは、図３に示すフローチャートと同じであるため説明を省略する。
【００７８】
＜第２の実施形態における撮影可否情報送信制御＞
図６は、近距離無線装置２３０、情報処理装置３００、情報処理装置３１０の撮影装置２２０に対する撮影可否情報送信制御に係るフローチャートである。
【００７９】
近距離無線装置２３０は、情報処理装置３００と情報処理装置３１０へ識別情報Ａを送信する識別情報送信処理を繰り返す（ステップＳ３０１）。ここで、識別情報Ａとは、例えば、近距離無線装置２３０のＵＵＩＤ等である。
【００８０】
情報処理装置３００の識別情報受信部Ａ２０１は、近距離無線装置２３０から送信される識別情報Ａの受信を監視する（ステップＳ３０２）。
【００８１】
情報処理装置３００の識別情報受信部Ｂ２０２は、ステップＳ３０２と合わせて、情報処理装置３１０から送信される識別情報Ｂの受信を監視する（ステップＳ３０３）。
【００８２】
情報処理装置３００は、識別情報Ａまたは識別情報Ｂを受信したか判断する（ステップＳ３０４）。ステップＳ３０２またはステップＳ３０３で各識別情報を受信した場合は、ステップＳ３０４でＹｅｓとなり、ステップＳ３０５に進む。識別情報Ａまたは識別情報Ｂを受信していない場合は、ステップＳ３０４でＮｏとなり、ステップＳ３０２へ戻り、識別情報を受信するまでループし監視を行う。
【００８３】
ステップＳ３０２の識別情報Ａ、またはステップＳ３０３の識別情報Ｂを受信した後、各識別情報の電波強度から、情報処理装置３００と各識別情報の送信元との距離を算出する。識別情報から算出可能な距離情報は一例として３種類存在し、Ｉｍｍｉｄｉａｔｅ、Ｎｅａｒ、Ｆａｒであるとして、以降説明する。
【００８４】
Ｉｍｍｉｄｉａｔｅは、識別情報の送信元と受信先が、約１ｍ以内の距離にあることを示す。Ｎｅａｒは、識別情報の送信元と受信先が、約１ｍから約５ｍの範囲内にあることを示す。Ｆａｒは、識別情報の送信元と受信先が、約５ｍ以上の距離にあることを示す。なお、これらに限定したものではなく、距離の定義が異なってもよい。
【００８５】
情報処理装置３００は、近距離無線装置２３０との距離がＩｍｍｉｄｉａｔｅか否かを判定する（ステップＳ３０５）。ステップＳ３０５でＹｅｓの場合、後述する代表者フラグを立て（ステップＳ３０６）、ステップＳ３０２へ戻る。ステップＳ３０６でＮｏの場合、ステップＳ３０７に進む。
【００８６】
情報処理装置３００は、代表者フラグが立っているか否かを判定する（ステップＳ３０７）。ステップＳ３０７がＹｅｓであれば、ステップＳ３０８に進む。ステップＳ３０７がＮｏであれば、ステップＳ３０２に戻る。
【００８７】
ここで、代表者フラグとは、撮影装置２２０に撮影可否情報を送信する端末を一意に決定するためのフラグである。本実施形態では、１度でも撮影装置２２０との距離がＩｍｍｉｄｉａｔｅとなった端末に、代表者フラグを立てる。これにより、撮影装置２２０の配置設定（アングル等）をした撮影者１００が保持する端末（情報処理装置）を特定し、代表者とする。
【００８８】
情報処理装置３１０との距離がＮｅａｒ以内か否かを判定する（ステップＳ３０８）。ステップＳ３０８でＮｏの場合、撮影装置２２０に撮影可否情報Ａを送信する（ステップＳ３０９）。
【００８９】
ステップＳ３０８でＹｅｓの場合は、撮影装置２２０に撮影可否情報Ａの送信（ステップＳ３１０）と撮影可否情報Ｂの送信（ステップＳ３１１）を行う。
【００９０】
一方、情報処理装置３００は、識別情報Ｃを情報処理装置３１０に送信する処理を行う（ステップＳ３１２）。ここで、識別情報Ｃとは、例えば、情報処理装置３００のＵＵＩＤ等である。
【００９１】
情報処理装置３１０は、識別情報受信部Ｃ２１３で、識別情報Ｃを受信することができる。また、識別情報受信部Ａ´２１２で識別情報Ａを受信することができる。これらの情報に基づき、近距離無線装置２３０と情報処理装置３００との、情報処理装置３１０に対する距離を算出することができる。
【００９２】
情報処理装置３１０は、情報処理装置３００と同じ制御フローを実施する。ここで、近距離無線装置２３０との距離がＩｍｍｉｄｉａｔｅにならなければ、代表者フラグを立てない。これにより、撮影装置２２０に撮影可否情報Ａと撮影可否情報Ｂを送信する代表者を動的に決定することができる。
【００９３】
以上の処理を行うことにより、本発明の第２の実施形態では、代表者フラグを使用し、情報処理装置が代表者か否かを判断する。これにより、撮影装置２２０に撮影可否情報を送信する情報処理装置を予め決定することなく動的に決定し、撮影を制御することが可能となる。
【００９４】
[第３の実施形態]
次に、第３の実施形態について説明する。第２の実施形態では、撮影装置２２０に撮影可否情報を送信する代表者を、情報処理装置自身が判断し、決定する場合について例示した。第３の実施形態では、撮影装置２２０が代表者を動的に決定する場合について例示する。
【００９５】
第３の実施形態においても、撮影システムの構成は図１（ａ）と同じであり、撮影装置１０１は図２（ｂ）に示す状態遷移となる。また、第３の実施形態の構成に係るブロック図は、図５に示す構成と同じであるため説明を省略する。ただし、撮影装置２２０の撮影可否情報受信部２２１が、代表者となる情報処理装置を判断・識別する点が第２の実施形態とは異なる。
【００９６】
＜撮影装置２２０の制御フロー＞
図７は、第３の実施形態に係る撮影装置２２０のフローチャートである。
【００９７】
撮影装置２２０は電源投入後、撮影可否情報受信部２２１が、撮影可否情報Ａの受信を監視する（ステップＳ４０１）。ここで、撮影可否情報Ａとは、撮影装置２２０が、図１（ｂ）の状態遷移図で説明した、通常撮影状態１１０からセルフタイマー動作可能状態１１１に遷移するための情報である。
【００９８】
撮影可否情報受信部２２１が、情報処理装置３００から撮影可否情報Ａを受信したか判断する（ステップＳ４０２）。ステップＳ４０２でＹｅｓの場合、ステップＳ４０３に進む。ステップＳ４０２でＮｏの場合、ステップＳ４０１に戻り、撮影可否情報Ａを受信するまでループする。
【００９９】
撮影装置２２０が最も早く撮影可否情報を受信した情報処理装置の識別情報を、撮影装置２２０は代表者の識別情報として保持する（ステップＳ４０３）。識別情報を保持した情報処理装置を、以降（＃１）と表記する。ここで、識別情報とは、例えば、情報処理装置３００、または情報処理装置３１０のＵＵＩＤ等である。
【０１００】
撮影可否情報受信部２２１が、（＃１）からの撮影可否情報Ａと撮影可否情報Ｂの受信を監視する（ステップＳ４０４）。ここで、撮影可否情報Ｂとは、撮影装置２２０が、図１（ｂ）の状態遷移図で説明した、セルフタイマー動作可能状態１１１からセルフタイマー動作中状態１１２に遷移するための情報である。
【０１０１】
撮影可否情報受信部２２１が、撮影可否情報Ａを受信しているか判断する（ステップＳ４０５）。ステップＳ４０５でＮｏの場合、ステップＳ４０７に進む。撮影可否情報受信部２２１が、（＃１）の識別情報をクリアした後（ステップＳ４０７）、ステップＳ４０１に戻る。これは、図１（ｂ）の状態遷移図で説明したセルフタイマー動作可能状態１１１から通常撮影状態１１０に遷移する場合であり、撮影装置１０１から離れた撮影者１００が、撮影装置１０１に戻ってくるような場合に該当する。
【０１０２】
ステップＳ４０５でＹｅｓに場合、撮影可否情報受信部２２１が、撮影可否情報Ｂを受信したか判断する（ステップＳ４０６）。ステップＳ４０６でＹｅｓの場合、ステップＳ４０８へ進む。ステップＳ４０６でＮｏの場合、ステップＳ４０４に戻り、撮影可否情報Ｂを受信するまでループする。
【０１０３】
ステップＳ４０８〜ステップＳ４１１は、撮影装置２２０が（＃１）から撮影可否情報Ａと撮影可否情報Ｂの受信を監視しながら、撮影制御部２２２がセルフタイマーカウンタのデクリメント処理を行う。
【０１０４】
まず、撮影制御部２２２が、セルフタイマーカウンタが残っているか判断する（ステップＳ４０８）。ステップＳ４０８でＹｅｓの場合、セルフタイマーのカウントダウン中であり、ステップＳ４０９に進む。
【０１０５】
撮影可否情報受信部２２１が、（＃１）から撮影可否情報Ｂを受信しているか監視する（ステップＳ４０９）。
【０１０６】
撮影可否情報受信部２２１が、撮影可否情報Ｂを受信しているか判断する（ステップＳ４１０）。ステップＳ４１０でＹｅｓの場合、ステップＳ４１１に進む。ステップＳ４１０でＮｏの場合、ステップＳ４０４に戻る。これは、図１（ｂ）の状態遷移図で説明した、セルフタイマー動作中状態１１２からセルフタイマー動作可能状態１１１に遷移する場合であり、被撮影者１０２に近付いた撮影者１００が、被撮影者１０２から離れた場合に該当する。
【０１０７】
撮影制御部２２２がセルフタイマーカウンタをデクリメントし（ステップＳ４１１）、ステップＳ４０８でカウンタが０となると、撮影を行う（ステップＳ４１２）。
【０１０８】
以上の動作により、撮影装置２２０は、情報処理装置３００と情報処理装置３１０および近距離無線装置２３０を使用し、（＃１）から送信される撮影可否情報Ａおよび撮影可否情報Ｂによって、撮影者１００が何ら操作を加えることなく、撮影装置２２０のセルフタイマーの状態を遷移させ、シャッターを制御することが出来る。
【０１０９】
＜第３の実施形態における撮影可否情報送信制御＞
図８は、近距離無線装置２３０、情報処理装置３００、情報処理装置３１０の撮影装置２２０に対する撮影可否情報送信制御に係るフローチャートである。
【０１１０】
近距離無線装置２３０は、情報処理装置３００と情報処理装置３１０へ識別情報Ａを送信する識別情報送信処理を繰り返す（ステップＳ５０１）。ここで、識別情報Ａとは、例えば、近距離無線装置２３０のＵＵＩＤ等である。
【０１１１】
情報処理装置３００の識別情報受信部Ａ２０１は、近距離無線装置２３０から送信される識別情報Ａの受信を監視する（ステップＳ５０２）。
【０１１２】
情報処理装置３００の識別情報受信部Ｂ２０２は、ステップＳ５０２と合わせて、情報処理装置３１０から送信される識別情報Ｂの受信を監視する（ステップＳ５０３）。
【０１１３】
情報処理装置３００は、識別情報Ａまたは識別情報Ｂを受信したか判断する（ステップＳ５０４）。ステップＳ５０２またはステップＳ５０３で各識別情報を受信した場合は、ステップＳ５０４でＹｅｓとなり、ステップＳ５０５に進む。識別情報Ａまたは識別情報Ｂを受信していない場合は、ステップＳ５０４でＮｏとなり、ステップＳ５０２へ戻り、識別情報を受信するまでループし監視を行う。
【０１１４】
ステップＳ５０２の識別情報Ａ、またはステップＳ５０３の識別情報Ｂを受信した後、各識別情報の電波強度から、情報処理装置３００と各識別情報の送信元との距離を算出する。識別情報から算出可能な距離情報は一例として３種類存在し、Ｉｍｍｉｄｉａｔｅ、Ｎｅａｒ、Ｆａｒであるとして、以降説明する。
【０１１５】
Ｉｍｍｉｄｉａｔｅは、識別情報の送信元と受信先が、約１ｍ以内の距離にあることを示す。Ｎｅａｒは、識別情報の送信元と受信先が、約１ｍから約５ｍの範囲内にあることを示す。Ｆａｒは、識別情報の送信元と受信先が、約５ｍ以上の距離にあることを示す。なお、これらに限定したものではなく、距離の定義が異なってもよい。
【０１１６】
情報処理装置３００は、近距離無線装置２３０との距離がＩｍｍｉｄｉａｔｅか否かを判定する（ステップＳ５０５）。ステップＳ５０５でＹｅｓの場合、ステップＳ５０２へ戻る。ステップＳ５０５でＮｏの場合、ステップＳ５０６に進む。
【０１１７】
情報処理装置３１０との距離がＮｅａｒ以内か否かを判定する（ステップＳ５０６）。ステップＳ５０６でＮｏの場合、撮影装置２２０に撮影可否情報Ａを送信する（ステップＳ５０７）。
【０１１８】
ステップＳ５０６でＹｅｓの場合は、撮影装置２２０に撮影可否情報Ａの送信（ステップＳ５０８）と撮影可否情報Ｂの送信（ステップＳ５０９）を行う。
【０１１９】
一方、情報処理装置３００は、識別情報Ｃを情報処理装置３１０に送信する処理を行う（ステップＳ５１０）。ここで、識別情報Ｃとは、例えば、情報処理装置３００のＵＵＩＤ等である。
【０１２０】
情報処理装置３１０は、識別情報受信部Ｃ２１３で、識別情報Ｃを受信することができる。また、識別情報受信部Ａ´２１２で識別情報Ａを受信することができる。これらの情報に基づき、近距離無線装置２３０と情報処理装置３００との、情報処理装置３１０に対する距離を算出することができる。
【０１２１】
情報処理装置３１０は、情報処理装置３００と同じ制御フローを実施する。
【０１２２】
以上の処理を行うことにより、本発明の第３の実施形態によれば、撮影装置２２０に撮影可否情報Ａと撮影可否情報Ｂを送信する代表者となる情報処理装置を、撮影装置２２０が動的に記憶することができる。これにより、撮影装置２２０に識別情報を受信する情報処理装置の情報を設定する必要がなくなるため、ユーザの利便性が向上する。
【０１２３】
[第４の実施形態]
次に、第４の実施形態について説明する。第１の実施形態〜第３の実施形態では、情報処理装置２００または情報処理装置３００が、撮影装置２２０に対する撮影可否情報Ａおよび撮影可否情報Ｂの送信タイミングを判断していた。第４の実施形態では、撮影装置２２０が、撮影可否を判断する場合について例示する。
【０１２４】
第４の実施形態においても、撮影システムの構成は図１（ａ）と同じであり、撮影装置１０１は図２（ｂ）に示す状態遷移となる。
【０１２５】
図９は、本発明の第４の実施形態に係る撮影システムの一例の構成を概略的に示すブロック図である。図示の撮影システムは、情報処理装置４００、情報処理装置４１０、撮影装置４２０から構成されている。なお、撮影装置４２０は、図１（ａ）の撮影装置１０１に該当する。
【０１２６】
＜情報処理装置４００の構成＞
図９（ａ）を参照して情報処理装置４００の構成を説明する。図９には示されていないが、情報処理装置４００は、ハードウェア構成として、ＣＰＵ、入力部、表示部、メモリおよび記憶部等を備え、これらハードウェアは内部バスで相互に接続されている。
【０１２７】
ＣＰＵは、情報処理装置４００の全体の制御を司る。入力部は、例えば、タッチパネルやキーボードなどである。表示部として、例えば、液晶モニタが用いられる。メモリはＲＡＭおよびＲＯＭ等である。
【０１２８】
情報処理装置４００は、識別情報受信部Ｂ４０１、判断情報送信部４０２を備えている。また、情報処理装置４００は、例えば、携帯端末またはモバイル端末機器であるが、これに限定されるものではない。
【０１２９】
識別情報受信部Ｂ４０１は、情報処理装置４１０から識別情報Ｂを受信する。ここで、識別情報Ｂとは、例えば、情報処理装置４１０のＵＵＩＤ等である。
【０１３０】
判断情報送信部４０２は、撮影装置４２０に撮影動作に係る判断情報を送信する。判断情報送信部４０２は、撮影装置４２０に、判断情報として、情報処理装置４００の識別情報Ａ（情報処理装置４００のＵＵＩＤ等）を送信する。このとき、識別情報Ａには、情報処理装置４１０の識別情報Ｂと識別情報Ｂの電波強度を、識別情報Ａに付加して送信する。なお、判断情報として識別情報を用いたが、これに限定しなくてもよい。
【０１３１】
＜情報処理装置４１０の構成＞
情報処理装置４１０は、識別情報送信部Ｂ４１１を備える。情報処理装置４１０は、少なくとも１つ以上であれば、複数の端末であってもよく、図示の例示に限定されるものではない。
【０１３２】
識別情報送信部Ｂ４１１は、情報処理装置４１０の識別情報Ｂを送信する。ここで、識別情報とは、例えば、情報処理装置４１０のＵＵＩＤ等である。
【０１３３】
＜撮影装置４２０の構成＞
撮影装置４２０は、ハードウェア構成として、ＣＰＵ、メモリ、通信部、および記憶部（ともに不図示）等を備える。
【０１３４】
ＣＰＵは撮影装置４２０の全体の制御を司る。メモリはＲＡＭおよびＲＯＭ等である。
【０１３５】
記憶部には、ソフトウェアであるＯＳ（不図示）、撮影可否判定部４２２、撮影制御部４２３が記憶されるとともに、他の機能に係るソフトウェアが記憶されている。なお、これらのソフトウェアはメモリに読み出されて、ＣＰＵの制御に従い動作する。
【０１３６】
判断情報受信部４２１は、情報処理装置４００から送信された判断情報を受信する。ここで判断情報とは、情報処理装置４００の識別情報（ＵＵＩＤ）に付加される情報であり、情報処理装置４１０の識別情報Ｂ（ＵＵＩＤ）と識別情報Ｂの電波強度である。
【０１３７】
撮影可否判定部４２２は、情報処理装置４００から送信される識別情報Ａに付加された情報に基づいて、撮影装置４２０と情報処理装置４００の距離、情報処理装置４００と情報処理装置４１０の距離を算出し、算出した距離から撮影可否を判断する。
【０１３８】
撮影制御部４２３は、撮影可否判定部４２２の判断に基づき、セルフタイマーを制御する。
【０１３９】
＜撮影装置４２０の制御フロー＞
図１０は、第４の実施形態に係る撮影装置４２０のフローチャートである。
【０１４０】
撮影装置４２０は電源投入後、判断情報受信部４２１が、情報処理装置４００からの識別情報Ａの受信を監視する（ステップＳ６０１）。ここで、識別情報Ａとは、情報処理装置４００の識別情報であり、例えば、情報処理装置４００のＵＵＩＤ等である。
【０１４１】
判断情報受信部４２１は、情報処理装置４００から識別情報Ａを受信したか判断する（ステップＳ６０２）。ステップＳ６０２でＹｅｓの場合、ステップＳ６０３に進む。ステップＳ６０２でＮｏの場合、ステップＳ６０１に戻り、識別情報Ａを受信するまでループする。
【０１４２】
受信した識別情報Ａの電波強度から、撮影可否判定部４２２は、撮影装置４２０と情報処理装置４００との距離（以降（＃２）と記載する）を算出する（ステップＳ６０３）。なお、距離の算出に電波強度を使用しているが、電波強度に限定しなくてもよい。識別情報から算出可能な距離情報は一例として３種類存在し、Ｉｍｍｉｄｉａｔｅ、Ｎｅａｒ、Ｆａｒであるとして、以降説明する。
【０１４３】
Ｉｍｍｉｄｉａｔｅは、識別情報の送信元と受信先が、約１ｍ以内の距離にあることを示す。Ｎｅａｒは、識別情報の送信元と受信先が、約１ｍから約５ｍの範囲内にあることを示す。Ｆａｒは、識別情報の送信元と受信先が、約５ｍ以上の距離にあることを示す。なお、これらに限定したものではなく、距離の定義が異なってもよい。
【０１４４】
撮影可否判定部４２２は、ステップＳ６０３で算出した（＃２）が、Ｎｅａｒ以内か否かを判定する（ステップＳ６０４）。ステップＳ６０４でＹｅｓの場合、ステップＳ６０５に進む。ステップＳ６０４でＮｏの場合、ステップＳ６０１に戻る。
【０１４５】
撮影可否判定部４２２は、識別情報Ａに付加された情報（情報処理装置４１０の識別情報Ｂ（ＵＵＩＤ）と識別情報Ｂの電波強度）から、情報処理装置４００と情報処理装置４１０の距離（以降（＃３）と記載する）を算出する（ステップＳ６０５）。
【０１４６】
撮影可否判定部４２２は、ステップＳ６０５で算出した（＃３）が、Ｎｅａｒ以内か否かを判定する（ステップＳ６０６）。ステップＳ６０６でＹｅｓの場合、ステップＳ６０７に進む。ステップＳ６０６でＮｏの場合、ステップＳ６０１に戻る。
【０１４７】
ステップＳ６０７〜ステップＳ６１４は、撮影装置４２０が識別情報Ａの受信を監視しながら、撮影制御部４２３がセルフタイマーカウンタのデクリメント処理を行う。
【０１４８】
まず、撮影制御部４２３が、セルフタイマーカウンタが残っているか判断する（ステップＳ６０７）。ステップＳ６０７でＹｅｓの場合、セルフタイマーのカウントダウン中であり、ステップＳ６０８に進む。
【０１４９】
判断情報受信部４２１は、情報処理装置４００からの識別情報Ａの受信を監視する（ステップＳ６０８）。
【０１５０】
判断情報受信部４２１が、識別情報Ａを受信しているか判断する（ステップＳ６０９）。ステップＳ６０９でＹｅｓの場合、ステップＳ６１０に進む。ステップＳ６０９でＮｏの場合、ステップＳ６０１に戻る。
【０１５１】
受信した識別情報Ａの電波強度から、撮影可否判定部４２２は（＃２）を算出する（ステップＳ６１０）。
【０１５２】
撮影可否判定部４２２は、算出した（＃２）がＮｅａｒ以上か判定する（ステップＳ６１１）。ステップＳ６１１でＹｅｓの場合、ステップＳ６１２に進む。ステップＳ６１１でＮｏの場合、ステップＳ６０１に戻る。
【０１５３】
撮影可否判定部４２２は、識別情報Ａに付加された情報（情報処理装置４１０の識別情報Ｂ（ＵＵＩＤ）と識別情報Ｂの電波強度）から（＃３）を算出する（ステップＳ６１２）。
【０１５４】
撮影可否判定部４２２は、ステップＳ６１１で算出した（＃３）が、Ｎｅａｒ以内か否かを判定する（ステップＳ６１３）。ステップＳ６１３でＹｅｓの場合、ステップＳ６１４に進む。ステップＳ６１３でＮｏの場合、ステップＳ６０１に戻る。
【０１５５】
撮影制御部４２３がセルフタイマーカウンタをデクリメントし（ステップＳ６１４）、ステップＳ６０７でカウンタが０となると、撮影を行う（ステップＳ６１５）。
【０１５６】
＜第４の実施形態における識別情報送信制御＞
図１１は、情報処理装置４００、情報処理装置４１０の撮影装置４２０に対する識別情報Ａの送信制御に係るフローチャートである。ここで、識別情報Ａとは、情報処理装置４００を識別するための情報であり、例えば、情報処理装置４００のＵＵＩＤ等である。
【０１５７】
情報処理装置４００の識別情報受信部Ｂ４０１は、情報処理装置４１０から送信される識別情報Ｂの受信を監視する（ステップＳ７０１）。ここで、識別情報Ｂとは、例えば、情報処理装置４１０のＵＵＩＤ等である。
【０１５８】
情報処理装置４００は、識別情報Ｂを受信したか判断する（ステップＳ７０２）。ステップＳ７０２でＹｅｓの場合、ステップＳ７０３に進む。ステップＳ７０２でＮｏの場合、ステップＳ７０１へ戻り、識別情報Ｂを受信するまでループし監視を行う。
【０１５９】
判断情報送信部４０２は、撮影装置４２０に情報処理装置４００の識別情報Ａを送信する。この時、識別情報Ａには、情報処理装置４１０の識別情報Ｂと、識別情報Ｂの電波強度の値を付加する（ステップＳ７０３）。情報処理装置４００は、ステップＳ７０１〜ステップＳ７０３の処理を繰り返す。
【０１６０】
情報処理装置４１０は、情報処理装置４００へ識別情報Ｂを送信する識別情報送信処理を繰り返す（ステップＳ７０４）。
【０１６１】
以上の処理を行うことにより、本発明の第４の実施形態によれば、撮影装置４２０は、情報処理装置４００から送信される識別情報Ａに付加された情報に基づいて、情報処理装置４００と情報処理装置４１０の距離を把握することが可能となり、撮影可否を判断することが可能となる。
【０１６２】
[第５の実施形態]
次に、第５の実施形態について説明する。第４の実施形態では、撮影装置４２０が、撮影可否を判断していた。第５の実施形態では、情報処理装置５００が撮影可否を判定する場合について例示する。
【０１６３】
第５の実施形態においても、撮影システムの構成は図１（ａ）と同じであり、撮影装置１０１は図２（ｂ）に示す状態遷移となる。
【０１６４】
図１２は、本発明の第５の実施形態に係る撮影システムの一例の構成を概略的に示すブロック図である。図示の撮影システムは、情報処理装置５００、情報処理装置４１０、撮影装置４２０から構成されている。なお、情報処理装置４１０と撮影装置４２０は、図９に示す装置と同じ構成要素である。同じ構成要素については、同一の参照番号を付して説明を省略する。
【０１６５】
＜情報処理装置５００の構成＞
情報処理装置５００は、図９に示す識別情報受信部Ｂ４０１と、判断情報送信部４０２の構成に加え、撮影可否判定部４０３を備えている。同じ処理部については、説明を省略する。
【０１６６】
撮影可否判定部４０３は、情報処理装置４１０から送信された識別情報Ｂに基づいて、撮影可能情報を作成する。ここで、撮影可能情報とは、撮影装置４２０において、セルフタイマー動作可能状態１１１からセルフタイマー動作中状態１１２に遷移するための情報である。また、識別情報Ｂとは、例えば、情報処理装置４１０のＵＵＩＤ等を示す。
【０１６７】
＜撮影装置４２０の制御フロー＞
図１３は、第５の実施形態に係る撮影装置４２０のフローチャートである。
【０１６８】
撮影装置４２０は電源投入後、判断情報受信部４２１が、情報処理装置５００からの識別情報Ａの受信を監視する（ステップＳ８０１）。ここで、識別情報Ａとは、情報処理装置５００の識別情報であり、例えば、情報処理装置５００のＵＵＩＤ等である。
【０１６９】
判断情報受信部４２１は、情報処理装置５００から識別情報Ａを受信したか判断する（ステップＳ８０２）。ステップＳ８０２でＹｅｓの場合、ステップＳ８０３に進む。ステップＳ８０２でＮｏの場合、ステップＳ８０１に戻り、識別情報Ａを受信するまでループする。
【０１７０】
受信した識別情報Ａの電波強度から、撮影可否判定部４２２は、撮影装置４２０と情報処理装置５００との距離（以降（＃４）と記載する）を算出する（ステップＳ８０３）。なお、距離の算出に電波強度を使用しているが、電波強度に限定しなくてもよい。識別情報から算出可能な距離情報は一例として３種類存在し、Ｉｍｍｉｄｉａｔｅ、Ｎｅａｒ、Ｆａｒであるとして、以降説明する。
【０１７１】
Ｉｍｍｉｄｉａｔｅは、識別情報の送信元と受信先が、約１ｍ以内の距離にあることを示す。Ｎｅａｒは、識別情報の送信元と受信先が、約１ｍから約５ｍの範囲内にあることを示す。Ｆａｒは、識別情報の送信元と受信先が、約５ｍ以上の距離にあることを示す。なお、これらに限定したものではなく、距離の定義が異なってもよい。
【０１７２】
撮影可否判定部４２２は、ステップＳ８０３で算出した（＃４）が、Ｎｅａｒ以内か否かを判定する（ステップＳ８０４）。ステップＳ８０４でＹｅｓの場合、ステップＳ８０５に進む。ステップＳ８０４でＮｏの場合、ステップＳ８０１に戻る。
【０１７３】
撮影可否判定部４２２は、識別情報Ａに付加された情報（撮影可否情報（以降（＃５）と記載する））を解析する（ステップＳ８０５）。
【０１７４】
撮影可否判定部４２２は、ステップＳ８０５で算出した（＃５）が、撮影可能情報であるか否かを判定する（ステップＳ８０６）。ここで、撮影可能情報とは撮影装置４２０が、図１（ｂ）におけるセルフタイマー動作可能状態１１１からセルフタイマー動作中状態に遷移するための情報である。ステップＳ８０６でＹｅｓの場合、ステップＳ８０７に進む。ステップＳ８０６でＮｏの場合、ステップＳ８０１に戻る。
【０１７５】
ステップＳ８０７〜ステップＳ８１４は、撮影装置４２０が識別情報Ａの受信を監視しながら、撮影制御部４２３がセルフタイマーカウンタのデクリメント処理を行う。
【０１７６】
まず、撮影制御部４２３が、セルフタイマーカウンタが残っているか判断する（ステップＳ８０７）。ステップＳ８０７でＹｅｓの場合、セルフタイマーのカウントダウン中であり、ステップＳ８０８に進む。
【０１７７】
判断情報受信部４２１は、情報処理装置５００からの識別情報Ａの受信を監視する（ステップＳ８０８）。
【０１７８】
判断情報受信部４２１が、識別情報Ａを受信しているか判断する（ステップＳ８０９）。ステップＳ８０９でＹｅｓの場合、ステップＳ８１０に進む。ステップＳ８０９でＮｏの場合、ステップＳ８０１に戻る。
【０１７９】
受信した識別情報Ａの電波強度から、撮影可否判定部４２２は（＃４）を算出する（ステップＳ４１０）。
【０１８０】
撮影可否判定部４２２は、算出した（＃４）がＮｅａｒ以上か判定する（ステップＳ８１１）。ステップＳ８１１でＹｅｓの場合、ステップＳ８１２に進む。ステップＳ８１１でＮｏの場合、ステップＳ８０１に戻る。
【０１８１】
撮影可否判定部４２２は、識別情報Ａに付加された情報から（＃５）（撮影可否情報）を解析する（ステップＳ８１２）。
【０１８２】
撮影可否判定部４２２は、解析した(＃５)が撮影可能状態であるＮｅａｒ以内か否かを判定する（ステップＳ８１３）。ステップＳ８１３でＹｅｓの場合、ステップＳ８１４に進む。ステップＳ８１３でＮｏの場合、ステップＳ８０１に戻る。
【０１８３】
撮影制御部４２３がセルフタイマーカウンタをデクリメントし（ステップＳ８１４）、ステップＳ８０７でカウンタが０となると、撮影を行う（ステップＳ８１５）。
【０１８４】
＜情報処理装置５００、情報処理装置４１０の制御フロー＞
図１４は、情報処理装置５００、情報処理装置４１０の撮影装置４２０に対する識別情報Ａの送信制御に係るフローチャートである。ここで、識別情報Ａとは、情報処理装置５００を識別するための情報であり、例えば、情報処理装置５００のＵＵＩＤ等である。
【０１８５】
情報処理装置５００の識別情報受信部Ｂ４０１は、情報処理装置４１０から送信される識別情報Ｂの受信を監視する（ステップＳ９０１）。ここで、識別情報Ｂとは、例えば、情報処理装置４１０のＵＵＩＤ等である。
【０１８６】
情報処理装置５００は、識別情報Ｂを受信したか判断する（ステップＳ９０２）。ステップＳ９０２でＹｅｓの場合。ステップＳ９０３に進む。ステップＳ９０２でＮｏの場合、ステップＳ９０１へ戻り、識別情報Ｂを受信するまでループし監視を行う。
【０１８７】
撮影可否判定部４０３は、受信した識別情報Ｂから情報処理装置５００と情報処理装置４１０とのを算出する（ステップＳ９０３）。なお、距離の算出に電波強度を使用しているが、電波強度に限定しなくてもよい。識別情報から算出可能な距離情報は一例として３種類存在し、Ｉｍｍｉｄｉａｔｅ、Ｎｅａｒ、Ｆａｒであるとして、以降説明する。
【０１８８】
Ｉｍｍｉｄｉａｔｅは、識別情報の送信元と受信先が、約１ｍ以内の距離にあることを示す。Ｎｅａｒは、識別情報の送信元と受信先が、約１ｍから約５ｍの範囲内にあることを示す。Ｆａｒは、識別情報の送信元と受信先が、約５ｍ以上の距離にあることを示す。なお、これらに限定したものではなく、距離の定義が異なってもよい。
【０１８９】
情報処理装置５００の撮影可否判定部４０３は、情報処理装置５００に対する、情報処理装置４１０の距離が、Ｎｅａｒ以内か否かを判定する（ステップＳ９０４）。ステップＳ９０４でＮｏの場合、ステップＳ９０５に進む。ステップＳ９０４でＹｅｓの場合、ステップＳ９０６に進む。
【０１９０】
判断情報送信部４０２は、撮影装置４２０に識別情報Ａを送信する（ステップＳ９０５）。
【０１９１】
判断情報送信部４０２は、識別情報Ａに撮影可能情報を付加し、撮影装置４２０に識別情報Ａを送信する。（ステップＳ９０６）。ここで、撮影可能情報とは撮影装置４２０が、図１（ｂ）におけるセルフタイマー動作可能状態１１１からセルフタイマー動作中状態に遷移するための情報である。
【０１９２】
情報処理装置４１０は、情報処理装置４００へ識別情報Ｂを送信する識別情報送信処理を繰り返す（ステップＳ９０７）。
【０１９３】
以上の処理を行うことにより、本発明の第５の実施形態によれば、撮影装置４２０は、情報処理装置５００から送信される識別情報Ａに付加された情報に基づいて、撮影可否を判断することが出来る。
[第６の実施形態]
次に、第６の実施形態について説明する。第２の実施形態では、撮影可否情報を撮影装置２２０に送信する情報処理装置を予め決定せず、動的に決定する場合について例示した。しかし、撮影装置２２０に送信する複数の情報処理装置は予め登録されている必要があった。第６の実施形態では、撮影システム内に新たに加わった被撮影者の情報を有効活用するために動的に代表端末を決定する場合について例示する。
【０１９４】
本実施形態では、第２の実施形態で説明した情報処理装置３１０にさらに自律分散協調部（不図示）を設ける。以下、第２の実施形態と同様の機能は同じ参照番号を付し、第２の実施形態からの差分を述べる。
【０１９５】
自律分散協調部は、自身以外の情報処理装置３１０から受信した識別情報Ｃから自身が代表端末となるかを決定する機能部である。このとき、受信した識別情報Ｃには、送信元の情報処理装置３１０が代表端末であるか否か、また電池残量などが情報として付与されている。
【０１９６】
自律分散協調部は、自身以外の情報処理装置３１０が近くにあれば代表端末となる。代表端末が複数存在する場合、各情報処理装置３１０は、受信した他の情報処理装置３１０の識別情報Ｃを解析し、電池残量が他の情報処理装置３１０より少なければ代表端末を降りる。自律分散協調部は、代表端末が一意に決定するまでこの処理を繰り返す。一意に代表端末が決定された後は、撮影装置２２０に撮影可否情報を送信し、セルフタイマーのカウンタが０になると撮影を行う。なお、電池残量を一例としたが、これに限定されるものではない。
【０１９７】
以上の処理を行うことにより、本発明の第６の実施形態では、予め登録した情報処理装置３１０の情報を使用するのではなく、自律分散協調により、撮影装置２２０に撮影可否情報を送信する情報処理装置を動的に決定することができる。これにより、撮影システム内に新たに情報処理装置３１０が加わった場合に、当該情報処理装置３１０の情報を有効活用することができる。また、撮影システムが想定していた情報処理装置３１０が全て故障してしまった場合にも、新たに情報処理装置３１０を加えるだけで情報処理装置３１０を撮影システムに登録しなおすことなく、撮影システムを継続することができる。
【０１９８】
第１の実施形態〜第６の実施形態において、セルフタイマーの制御についての例示をしたが、これに限定したものではない。例えば、撮影装置のフラッシュ機能制御やピント機能制御、動画撮影におけるズーム機能制御等のカメラの各機能においても適用可能である。
【０１９９】
なお、本発明は、上述した実施形態に限定されるものではなく、本発明の要旨を逸脱しない範囲内において適宜変更可能である。
【０２００】
また、本発明の目的は、上述した実施の形態の機能を実現するソフトウェアのプログラムコードを記録した記憶媒体を、システムあるいは装置に供給し、システムあるいは装置のコンピュータ（またはＣＰＵやＭＰＵ等）が記憶媒体に格納されたプログラムコードを読み出して処理を実行することによっても達成することができる。
【０２０１】
この場合、記憶媒体から読み出されたプログラムコード自体が前述した実施の形態の機能を実現することになり、そのプログラムコードを記憶したコンピュータで読み取り可能な記憶媒体は本発明を構成することになる。
【０２０２】
また、プログラムコードの指示に基づき、コンピュータ上で稼動しているＯＳ（オペレーティングシステム）等が実際の処理の一部または全部を行い、その処理によって前述した実施形態の機能が実現されるように構成しても良い。
【０２０３】
さらに、記憶媒体から読み出されたプログラムコードが、コンピュータに挿入された機能拡張ボードやコンピュータに接続された機能拡張ユニットに備わるメモリに書き込まれたあと、このプログラムコードの指示に基づき、その機能拡張ボードや機能拡張ユニットに備わるＣＰＵ等が実際の処理の一部または全部を実行し、その処理に応じて上述した実施形態が実現される場合も含んでいる。
【０２０４】
なお、プログラムコードを供給するため、例えば、フロッピー（登録商標）ディスク、ハードディスク、光磁気ディスク、ＣＤやＤＶＤに代表される光ディスク、磁気テープ、不揮発性のメモリカード、ＲＯＭ等の記憶媒体を用いることができる。または、プログラムコードは、ネットワークを介してダウンロードしてもよい。
【符号の説明】
【０２０５】
１００：近距離無線装置を所持した撮影者
１０１、２２０、４２０：撮影装置
２２１：撮影可否情報受信部
２２２、４２３：撮影制御部
４２１：判断情報受信部
４２２：撮影可否判定部
１０２：被撮影者
１１０：通常撮影状態
１１１：セルフタイマー動作可能状態
１１２：セルフタイマー動作中状態
２００、３００、４００、５００：情報処理装置
２０１：識別情報受信部Ａ
２０２、４０１：識別情報受信部Ｂ
２０３、４０３：撮影可否判定部
２０４：撮影可否情報送信部
２０５：識別情報送信部Ｃ
４０２：判断情報送信部
２１０、３１０、４１０：情報処理装置
２１１：識別情報送信部Ｂ
２１２：識別情報受信部Ａ´
２１３：識別情報受信部Ｃ
２１４：撮影可否判定部Ｂ
２１５：撮影可否情報送信部Ｂ
４１１：識別情報送信部Ｂ
２３０：近距離無線装置
２３１：識別情報送信部Ａ
【図１】
2018107774.tif 000003
【図２】
2018107774.tif 000004
【図３】
2018107774.tif 000005
【図４】
2018107774.tif 000006
【図５】
2018107774.tif 000007
【図６】
2018107774.tif 000008
【図７】
2018107774.tif 000009
【図８】
2018107774.tif 000010
【図９】
2018107774.tif 000011
【図１０】
2018107774.tif 000012
【図１１】
2018107774.tif 000013
【図１２】
2018107774.tif 000014
【図１３】
2018107774.tif 000015
【図１４】
2018107774.tif 000016